(57)【要約】【課題】燃料タンクの剛性を増加し、燃料タンクの内部に取付けられる燃料タンク等の破損を防止するとともに製造が容易なポンプ外周巻き部材を提供する。【解決手段】燃料タンク１内に取付けられる燃料ポンプユニットの周囲に取付けるポンプ外周巻き部材であって、ポンプ外周巻き部材１０は、帯状の可撓性を有する板材で形成され、一方の先端は、巻き部材上部固定部１１を設け、他方の先端は、巻き部材下部固定部１２を設ける。ポンプ外周巻き部材１０は、燃料ポンプユニット４の外周を取り巻いて取付けられるとともに、巻き部材上部固定部１１が燃料タンク１のアッパーシェル部２に取付けられ、巻き部材下部固定部１２が燃料タンク１のロアシェル部３に取付けられる。【選択図】図１
2019127895.tif 000002
【特許請求の範囲】
【請求項１】
燃料タンク内に取付けられる燃料ポンプユニットの周囲に取付けるポンプ外周巻き部材であって、
該ポンプ外周巻き部材は、帯状の可撓性を有する板材で形成され、一方の先端は、巻き部材上部固定部を設け、他方の先端は、巻き部材下部固定部を設け、
上記ポンプ外周巻き部材は、上記燃料ポンプユニットの外周を取り巻いて取付けられるとともに、上記巻き部材上部固定部が上記燃料タンクのアッパーシェル部に取付けられ、上記巻き部材下部固定部が上記燃料タンクのロアシェル部に取付けられることを特徴とする燃料タンクのポンプ外周巻き部材。
【請求項２】
上記ポンプ外周巻き部材は、上記巻き部材上部固定部が形成された側が高く、上記巻き部材下部固定部が形成された側が低い、平行四辺形に形成された請求項１に記載の燃料タンクのポンプ外周巻き部材。
【請求項３】
上記ポンプ外周巻き部材は、燃料タンク内に取付けられたときに、燃料が流通可能な複数個の巻き部材貫通孔が形成された請求項１又は請求項２に記載の燃料タンクのポンプ外周巻き部材。
【請求項４】
上記ポンプ外周巻き部材は、幅方向に複数個の補強リブが形成された請求項１乃至請求項３のいずれか１項に記載の燃料タンクのポンプ外周巻き部材。
【請求項５】
上記ポンプ外周巻き部材は、耐燃料性を有する合成樹脂で形成された請求項１乃至請求項４のいずれか１項に記載の燃料タンクのポンプ外周巻き部材。
【請求項６】
上記ポンプ外周巻き部材は、上記燃料ポンプに取付けられたパイプ又はコードが通過可能な巻き部材切欠き部を有する請求項１乃至請求項５のいずれか１項に記載の燃料タンクのポンプ外周巻き部材。
【請求項７】
上記燃料タンクのアッパーシェル部の内面に上記巻き部材上部固定部が係合するアッパーシェル固定部が形成され、上記ロアシェル部の内面に上記巻き部材下部固定部が係合するロアシェル固定部が形成された請求項１乃至請求項６のいずれか１項に記載の燃料タンクのポンプ外周巻き部材。
【発明の詳細な説明】
【技術分野】
【０００１】
本発明は、自動車用燃料タンク内に取付けられる燃料ポンプユニットの周囲に取付けるポンプ外周巻き部材に関する。
【背景技術】
【０００２】
自動車用燃料タンクの構造としては、図９に示すように、合成樹脂製の燃料タンクのアッパーシェル部とロアシェル部を一体的にブロー成形等により成形して、その後、内部に部品を取付けて、そのアッパーシェル部１０２とロアシェル部１０３を相互に溶着して燃料タンク１０１を形成する方法が行われている。
【０００３】
この場合に、燃料タンク１０１は、内部温度の変化や、内部の燃料の消費による燃料タンク１０１内の圧力の変化のため全体に膨張したり、収縮したりする。これ等の内圧変化による燃料タンク１０１の過度な変形を防止するため燃料タンク１０１内に内蔵支柱１１０を設けることが行われている。
【０００４】
この内蔵支柱１１０は、例えば、図９に示すように、燃料タンク１０１の内部に、内蔵支柱１１０を設け、内蔵支柱１１０の両端をアッパーシェル部１０２とロアシェル部１０３に取付けて、内蔵支柱１１０にばね部材１１１を取付けて、燃料タンク１０１の膨張や収縮を吸収しているものがある（例えば、特許文献１参照。）。
【０００５】
また、図１０に示すように、燃料タンク２０１の内部に、内臓支柱２１０を設け、内臓支柱２１０の両端をアッパーシェル部２０２とロアシェル部２０３に取付けて、衝突時に燃料タンク２０１が衝撃を受けたときに、内臓支柱２１０がアッパーシェル部２０２とロアシェル部２０３の損傷を防ぐために、所定の応力で破断することができるようにしたものがある（例えば、特許文献２参照。）。
【０００６】
この場合には、いずれの場合にも燃料タンク１０１、２０１の内部が減圧状態になった場合には、アッパーシェル部１０２、２０２とロアシェル部１０３、２０３に押し潰されて、燃料タンク１０１、２０１内に取付けられた燃料ポンプユニット等が破損する恐れがあった。
【先行技術文献】
【特許文献】
【０００７】
【特許文献１】特開２０１２−３５９１４号公報
【特許文献２】特表２０１６−５０６３３１号公報
【発明の概要】
【発明が解決しようとする課題】
【０００８】
そこで本発明は、燃料タンクの剛性を増加し、燃料タンクの内部に取付けられる燃料タンク等の破損を防止するとともに製造が容易な燃料タンク内の燃料ポンプユニットの周囲に取付けるポンプ外周巻き部材を提供しようとするものである。
【課題を解決するための手段】
【０００９】
上記課題を解決するために請求項１の本発明は、燃料タンク内に取付けられる燃料ポンプユニットの周囲に取付けるポンプ外周巻き部材であって、
ポンプ外周巻き部材は、帯状の可撓性を有する板材で形成され、一方の先端は、巻き部材上部固定部を設け、他方の先端は、巻き部材下部固定部を設け、
ポンプ外周巻き部材は、燃料ポンプユニットの外周を取り巻いて取付けられるとともに、巻き部材上部固定部が燃料タンクのアッパーシェル部に取付けられ、巻き部材下部固定部が燃料タンクのロアシェル部に取付けられることを特徴とする燃料タンクのポンプ外周巻き部材である。
【００１０】
請求項１の本発明では、燃料タンク内に取付けられる燃料ポンプユニットの周囲に取付けるポンプ外周巻き部材であって、ポンプ外周巻き部材は、帯状の可撓性を有する板材で形成されている。このため、合成樹脂等で板状に形成するため、製造が容易であるとともに、帯状の部材を巻いてポンプユニット取付口から容易に燃料タンク内に入れることができるとともに、燃料ポンプユニットの周囲に巻き付けて容易に取付けることができる。
【００１１】
ポンプ外周巻き部材の一方の先端は、巻き部材上部固定部を設け、他方の先端は、巻き部材下部固定部を設けている。このため、巻き部材上部固定部と巻き部材下部固定部により、簡単、確実にポンプ外周巻き部材を全長に亘り燃料タンク内部に取付けることができる。燃料タンクが膨張したときは、ポンプ外周巻き部材が撓んで膨張に追従することができる。
【００１２】
ポンプ外周巻き部材は、燃料ポンプユニットの外周を取り巻いて取付けられるとともに、巻き部材上部固定部が燃料タンクのアッパーシェル部に取付けられ、巻き部材下部固定部が燃料タンクのロアシェル部に取付けられている。このため、ポンプ外周巻き部材で燃料ポンプユニットを取り巻くとともに、燃料タンクの膨張と収縮に応じて、ポンプ外周巻き部材がアッパーシェル部とロアシェル部の変化に追従して変形することができる。また、過度の収縮に対しては、ポンプ外周巻き部材が円筒状になり、アッパーシェル部とロアシェル部を支えて、収縮に対して抵抗することができ、燃料ポンプユニットの損傷等を防止することができる。
【００１３】
請求項２の本発明は、ポンプ外周巻き部材は、巻き部材上部固定部が形成された側が高く、巻き部材下部固定部が形成された側が低い、平行四辺形に形成された燃料タンクのポンプ外周巻き部材である。
【００１４】
請求項２の本発明では、ポンプ外周巻き部材は、巻き部材上部固定部が形成された側が高く、巻き部材下部固定部が形成された側が低い、平行四辺形に形成されている。このため、ポンプ外周巻き部材を燃料タンク内に取付けたときに、巻き部材上部固定部側の下端は、ロアシェル部に対して隙間を有し、巻き部材下部固定部側の上端は、アッパーシェル部に対して隙間を有している。
【００１５】
燃料タンクが収縮したときに、ポンプ外周巻き部材は、アッパーシェル部とロアシェル部に対して、隙間を有することができ、燃料タンクの収縮に対して、ポンプ外周巻き部材が撓むことができ、撓みにより生じた抵抗力により、燃料タンクの収縮力を軽減することができる。
【００１６】
請求項３の本発明は、ポンプ外周巻き部材は、燃料タンク内に取付けられたときに、燃料が流通可能な複数個の巻き部材貫通孔が形成された燃料タンクのポンプ外周巻き部材である。
【００１７】
請求項３の本発明では、ポンプ外周巻き部材は、燃料タンク内に取付けられたときに、燃料が流通可能な複数個の巻き部材貫通孔が形成されている。このため、燃料タンクの内部の燃料をポンプ外周巻き部材の巻き部材貫通孔から燃料ポンプユニットへ円滑に送ることができるとともに、燃料タンク内の燃料の流動音を減少させることができる。
【００１８】
請求項４の本発明は、ポンプ外周巻き部材は、幅方向に複数個の補強リブが形成された燃料タンクのポンプ外周巻き部材である。
【００１９】
請求項４の本発明では、ポンプ外周巻き部材は、幅方向に複数個の補強リブが形成されたため、燃料タンクが膨張や収縮したときに、ポンプ外周巻き部材が変形するときに生じる応力を向上させることができ、燃料タンクが膨張や収縮を軽減させることができる。燃料タンクがポンプ外周巻き部材の高さ以上に収縮しようとするときは、ポンプ外周巻き部材がアッパーシェル部とロアシェル部の間に支柱として支えて、複数個の補強リブがポンプ外周巻き部材の高さ以上の収縮を防止して、燃料ポンプユニット等の破損を防止することができる。
【００２０】
請求項５の本発明は、ポンプ外周巻き部材は、耐燃料性を有する合成樹脂で形成された燃料タンクのポンプ外周巻き部材である。
【００２１】
請求項５の本発明では、ポンプ外周巻き部材は、耐燃料性を有する合成樹脂で形成されたため、燃料タンク内に取付けても劣化することなく作用することができる。また、合成樹脂であるため、成形が容易であり、所定の剛性を有して、燃料タンクが膨張や収縮したときに、応力を生じさせることができる。
【００２２】
請求項６の本発明は、ポンプ外周巻き部材は、燃料ポンプに取付けられたパイプ又はコードが通過可能な巻き部材切欠き部を有する燃料タンクのポンプ外周巻き部材である。
【００２３】
請求項６の本発明では、ポンプ外周巻き部材は、燃料ポンプに取付けられたパイプ又はコードが通過可能な巻き部材切欠き部を有するため、燃料タンク内に取付けたときに、パイプ又はコードが邪魔にならずに、燃料ポンプユニットと外部を確実に接続して、燃料ポンプユニットを作動させることができる。
【００２４】
請求項７の本発明は、燃料タンクのアッパーシェル部の内面に巻き部材上部固定部が係合するアッパーシェル固定部が形成され、ロアシェル部の内面に巻き部材下部固定部が係合するロアシェル固定部が形成された燃料タンクのポンプ外周巻き部材である。
【００２５】
請求項７の本発明では、燃料タンクのアッパーシェル部の内面に巻き部材上部固定部が係合するアッパーシェル固定部が形成され、ロアシェル部の内面に巻き部材下部固定部が係合するロアシェル固定部が形成されている。このため、ポンプ外周巻き部材を燃料タンク内に入れて、巻き部材上部固定部と巻き部材下部固定部をアッパーシェル固定部とロアシェル固定部に容易に確実に固定することができ、取付作業が容易であるとともに、取付後もポンプ外周巻き部材が容易に外れることがない。
【発明の効果】
【００２６】
ポンプ外周巻き部材は、燃料ポンプユニットの外周を取り巻いて取付けられるとともに、巻き部材上部固定部が燃料タンクのアッパーシェル部に取付けられ、巻き部材下部固定部が燃料タンクのロアシェル部に取付けられているため、燃料タンクの膨張と収縮に応じて、ポンプ外周巻き部材がアッパーシェル部とロアシェル部に追従して変形することができ、過度の収縮に対しては、ポンプ外周巻き部材がアッパーシェル部とロアシェル部の間に支柱となることができ、燃料ポンプユニットの損傷等を防止することができる。
【図面の簡単な説明】
【００２７】
【図１】本発明の実施の形態を示すもので、ポンプ外周巻き部材の展開した正面図である。
【図２】本発明の実施の形態を示すもので、補強リブを有するポンプ外周巻き部材の展開した正面図である。
【図３】本発明の実施の形態を示すもので、燃料タンク内に燃料ポンプユニットを取り巻いてポンプ外周巻き部材を取付けた正面図である。
【図４】本発明のポンプ外周巻き部材を爪部で燃料タンク内部に取付ける工程を示すもので、ポンプ外周巻き部材を巻いて、ポンプユニット取付口の上部に配置した状態を示す断面図である。
【図５】本発明のポンプ外周巻き部材を爪部で燃料タンク内部に取付ける工程を示すもので、ポンプ外周巻き部材を巻いて、燃料タンクの内部に配置し、巻き部材下部固定部をロアシェルに爪部で固定した状態を示す断面図である。
【図６】本発明のポンプ外周巻き部材を爪部で燃料タンク内部に取付ける工程を示すもので、ポンプ外周巻き部材を巻いて、燃料タンクの内部に配置し、巻き部材上部固定部をアッパーシェルに固定した状態を示す断面図である。
【図７】本発明のポンプ外周巻き部材を燃料タンク内部の固定脚に取付ける工程を示すもので、ポンプ外周巻き部材を巻いて、ポンプユニット取付口の上部に配置した状態を示す断面図である。
【図８】本発明のポンプ外周巻き部材を燃料タンク内部の固定脚に取付ける工程を示すもので、ポンプ外周巻き部材を燃料タンク内部の固定脚に取付けた態を示す平面図である。
【図９】従来の燃料タンクに内蔵支柱を取付けた断面図である。
【図１０】従来の他の燃料タンクに内蔵支柱を取付けた断面図である。
【発明を実施するための形態】
【００２８】
本発明の実施の形態を図１〜図８に基づき説明する。
図３に示すように、燃料タンク１は、アッパーシェル部２とロアシェル部３から構成される。本実施の形態では、アッパーシェル部２とロアシェル部３は、合成樹脂で成形されるが、金属板材で形成することもできる。
【００２９】
アッパーシェル部２とロアシェル部３は、ブロー成形等で一体的に形成することができるが、アッパーシェル部２とロアシェル部３を別々に成形して、フランジの部分で溶着して一体的に形成することができる。
アッパーシェル部２には、後述するポンプ外周巻き部材１０を取付けるアッパーシェル固定部６が形成され、ロアシェル部３には、ポンプ外周巻き部材１０を取付ける、ロアシェル固定部７が形成されている。
【００３０】
アッパーシェル部２には、カットオフバルブ（図示せず。）やブリーザポート取付部（図示せず。）が形成されている。ブリーザポート取付部は、燃料給油時に燃料タンク１内のガスをタンク外に逃がすためブリーザホースを取付けるものである。また、アッパーシェル部２には、給油口（図示せず。）から燃料を燃料タンク１に注入するインレットパイプ（図示せず。）が取付けられている。
なお、アッパーシェル部２の上面には、燃料移送用ホース等の各種のホースを取付けるニップル（図示せず）や、保持するホースクランプ（図示せず）を設けてもよい。
【００３１】
図３に示すように、燃料タンク1の内部は、燃料ポンプユニット４が取付けられている。燃料ポンプユニット４には、燃料をエンジンに送るための燃料パイプ８や、燃料ポンプユニット４に電気を送るポンプコード９等が取付けられている。
アッパーシェル部２には、燃料ポンプユニット４を燃料タンク１の内部に取付けるためのポンプユニット取付口５が形成されている。ポンプユニット取付口５は、燃料ポンプユニット４を取付けた後は、ポンプユニット蓋部材２０で閉じられる。
【００３２】
次に、燃料タンク１内に取付けるポンプ外周巻き部材１０について図１と図２に基づき説明し、その後、ポンプ外周巻き部材１０の取付方法について説明する。
まず、図１に基づきポンプ外周巻き部材１０について説明する。
ポンプ外周巻き部材１０は、帯状の可撓性を有する板材で形成されている。ポンプ外周巻き部材１０は、可撓性を有するため、後述するように、帯状のポンプ外周巻き部材１０を巻いてポンプユニット取付口５から容易に燃料タンク１内に入れることができるとともに、ポンプ外周巻き部材１０を燃料ポンプユニット４の周りに巻き付けて、燃料ポンプユニット４を囲って保護することができる。ポンプ外周巻き部材１０は、可撓性の合成樹脂で形成する場合には、成形が容易である。
【００３３】
ポンプ外周巻き部材１０の一方の先端（図１において左側の先端上部）は、巻き部材上部固定部１１が形成されて、他方の先端（図１において右側の先端下部）は、巻き部材下部固定部１２が形成されている。
巻き部材上部固定部１１は、燃料タンク１のアッパーシェル固定部６に固定されて、巻き部材下部固定部１２は、ロアシェル固定部７に取付けられる。
【００３４】
ポンプ外周巻き部材１０は、巻き部材上部固定部１１が形成された側(図１における左側)が高く、巻き部材下部固定部１２が形成された側(図１における右側)が低い、平行四辺形に形成されている。即ち、ポンプ外周巻き部材１０の上辺と下辺は、左側が高く、右側が低い傾斜した形状に形成されている。
【００３５】
このため、ポンプ外周巻き部材１０を燃料タンク１内に取付けて、巻き部材上部固定部１１をアッパーシェル部２に取付け、巻き部材下部固定部１２をロアシェル部３に取付けると、ポンプ外周巻き部材１０の巻き部材上部固定部１１側の下端は、ロアシェル部３に対して隙間を有し、巻き部材下部固定部１２側の上端は、アッパーシェル部２に対して隙間を有している。
【００３６】
燃料タンク１が収縮したときに、ポンプ外周巻き部材１０は、アッパーシェル部２とロアシェル部３に対して、隙間を有することができ、燃料タンク１の収縮に対して、ポンプ外周巻き部材１０が撓むことができ、撓みにより生じた抵抗力により、燃料タンク１の収縮力を軽減することができる。
【００３７】
燃料タンク１がポンプ外周巻き部材１０の高さ以上に収縮しようとするときは、ポンプ外周巻き部材１０が円筒状となり、アッパーシェル部２とロアシェル部３の間に支柱として位置して、ポンプ外周巻き部材１０の高さ以上の収縮を防止して、燃料ポンプユニット４等の破損を防止することができる。
【００３８】
また、燃料タンク１が膨張したときには、ポンプ外周巻き部材１０の巻き部材上部固定部１１の部分が上方に引っ張られて、巻き部材下部固定部１２の部分が下方に引っ張られて、ポンプ外周巻き部材１０が撓んで、撓みにより生じた抵抗力により、燃料タンク１の膨張力を軽減することができる。
【００３９】
巻き部材上部固定部１１は、図４に示すように、下方に突出している爪部１１ａが形成され、巻き部材下部固定部１２は、上方に突出している爪部１２ａが形成されている場合のものがある。
巻き部材上部固定部１１の爪部１１ａは、図６に示すように、アッパーシェル固定部６の係合孔６ａに係合して、固定されて、巻き部材下部固定部１２の爪部１２ａは、図６に示すように、ロアシェル固定部７の係合孔７ａに係合して固定される。
【００４０】
また、図８に示すように、アッパーシェル固定部６の先端に円弧状の固定脚６ｂを形成し、円弧状の固定脚６ｂの開口部にストッパ６ｃを設けて、巻き部材上部固定部１１の先端に、断面円形の先端部１１ｂを形成して、アッパーシェル固定部６の固定脚６ｂに固定することもできる。アッパーシェル固定部６の固定脚６ｂの開口部に形成したストッパ６ｃにより巻き部材上部固定部１１を保持することができる。
【００４１】
同様に、ロアシェル固定部７の先端に円弧状の固定脚７ｂを形成し、円弧状の固定脚７ｂの開口部にストッパ７ｃを設けて、巻き部材下部固定部１２の先端に、断面円形の先端部１２ｂを形成して、ロアシェル固定部７の固定脚７ｂに固定することもできる。ロアシェル固定部７の固定脚７ｂの開口部に形成したストッパ７ｃにより巻き部材下部固定部１２を保持することができる。
【００４２】
ポンプ外周巻き部材１０は、複数個の巻き部材貫通孔１３を設けることができる。図１と図２に示すように、巻き部材貫通孔１３は、ポンプ外周巻き部材１０の略全面に亘り設けることができる。巻き部材貫通孔１３を設けると、燃料タンク１内に取付けられたときに、燃料タンク1内の燃料は、巻き部材貫通孔１３を通り、燃料ポンプユニット４へ円滑に送ることができる
【００４３】
図２に示すように、ポンプ外周巻き部材１０に、幅方向に複数個の巻き部材補強リブ１４を形成することができる。巻き部材補強リブ１４を設けた場合には、燃料タンク１が膨張や収縮したときに、巻き部材補強リブ１４は、幅方向の剛性を向上させて、ポンプ外周巻き部材１０が変形するときに生じる応力を向上させることができ、燃料タンク１が膨張や収縮を軽減させることができるとともに、燃料タンク１内の燃料の流動音を減少させることができる。
【００４４】
上述のように、燃料タンク１がポンプ外周巻き部材１０の高さ以上に収縮しようとするときは、ポンプ外周巻き部材１０が円筒状になり、剛性大きく、アッパーシェル部２とロアシェル部３の間に支柱として位置して、ポンプ外周巻き部材１０の高さ以上の収縮を防止して、燃料ポンプユニット４等の破損を防止することができる。
【００４５】
ポンプ外周巻き部材１０は、耐燃料性を有する合成樹脂で形成することができる。耐燃料性を有する合成樹脂としては、例えば、ポリアセタール樹脂や、ポリアミド樹脂を使用することができる。耐燃料性を有する合成樹脂であるため、燃料タンク１内に取付けても劣化することなく、所定の剛性を有して、燃料タンク１が膨張や収縮したときに、応力を生じさせることができる。
【００４６】
図１に示すように、ポンプ外周巻き部材１０は、燃料ポンプユニット４に取付けられた燃料パイプ８やポンプコード９が通過可能な巻き部材切欠き部１５を設けることが好ましい。この場合には、ポンプ外周巻き部材１０を燃料タンク１内に取付けたときに、巻き部材切欠き部１５から燃料パイプ８やポンプコード９を出すことができ、燃料ポンプユニット４と燃料タンク１の外部を確実に接続することができる。
【００４７】
図４に示すように、燃料タンク１のアッパーシェル部２の内面には、ポンプ外周巻き部材１０の巻き部材上部固定部１１の爪部１１ａが係合するアッパーシェル固定部６の係合孔６ａが形成され、燃料タンク１のロアシェル部３の内面には、巻き部材下部固定部１２の爪部１２ａが係合するロアシェル固定部７の係合孔７ａが形成されている。
【００４８】
また、図８と図９に示すように、アッパーシェル固定部６の先端の固定脚６ｂに巻き部材上部固定部１１の先端部１１ｂを固定し、固定脚６ｂの開口部に形成したストッパ６ｃにより巻き部材上部固定部１１を保持することができる。
同様に、ロアシェル固定部７の先端の固定脚７ｂに巻き部材下部固定部１２の先端部１２ｂを固定し、固定脚７ｂの開口部に形成したストッパ７ｃにより巻き部材下部固定部１２を保持することができる。
【００４９】
アッパーシェル部２の内面にアッパーシェル固定部６が形成され、ロアシェルの内面にロアシェル固定部７が形成されているため、巻き部材上部固定部１１をアッパーシェル固定部６に、巻き部材下部固定部１２をロアシェル固定部７に容易に確実に固定することができ、取付作業が容易であるとともに、取付後もポンプ外周巻き部材１０が容易に外れることがない。
【００５０】
図３に示すように、ポンプ外周巻き部材１０は、燃料ポンプユニット４の外周を取り巻いて取付けられるとともに、巻き部材上部固定部１１が燃料タンク１のアッパーシェル固定部６に取付けられ、巻き部材下部固定部１２が燃料タンク１のロアシェル固定部７に取付けられている。
【００５１】
このため、ポンプ外周巻き部材１０で燃料ポンプユニット４を取り巻くとともに、燃料タンク１の膨張と収縮に応じて、ポンプ外周巻き部材１０がアッパーシェル部２とロアシェル部３に追従して変形することができる。また、過度の収縮に対しては、ポンプ外周巻き部材１０がアッパーシェル部２とロアシェル部３の間を支えて、幅方向に抵抗することができ、燃料ポンプユニット４の損傷等を防止することができる。
【００５２】
次に、図４〜図８に基づき、ポンプ外周巻き部材１０の燃料タンク１への取付方法について説明する。
まず、図４〜図６に基づき、ポンプ外周巻き部材１０の先端に爪部１１ａ、１２ａを有するものの取付け方法について説明する。
【００５３】
図４に示すように、ポンプ外周巻き部材１０を円筒状に丸めて、巻き部材円筒保持部材１６で開かないように固定する。そして、燃料タンク１のアッパーシェル部２ｂに形成されたポンプユニット取付口５からポンプ外周巻き部材１０を燃料タンク１内に入れる。その時、ロアシェル部３の内面は燃料ポンプユニット４が取付けられている。
【００５４】
次に、図５と図６に示すように、ポンプ外周巻き部材１０を燃料ポンプユニット４の周りを囲んで、燃料タンク１のロアシェル部３に達するように入れるとともに、ロアシェル部３に設けられたロアシェル固定部７にポンプ外周巻き部材１０の巻き部材下部固定部１２を固定する。
【００５５】
その固定方法は、ロアシェル部３に設けられたロアシェル固定部７の係合孔７ａに、ポンプ外周巻き部材１０の巻き部材下部固定部１２に設けられた爪部１２ａを挿入して固定する。巻き部材下部固定部１２は蛇腹状等に形成されて、撓むことができ、爪部１２ａを挿入することが容易である。その後、巻き部材円筒保持部材１６を緩めて、ポンプ外周巻き部材１０を徐々に広げる。
【００５６】
次に、図６に示すように、アッパーシェル部２に設けられたアッパーシェル固定部６の係合孔６ａに、ポンプ外周巻き部材１０の巻き部材上部固定部１１に設けられた爪部１１ａを挿入して固定する。巻き部材上部固定部１１は、巻き部材下部固定部１２と同様に、蛇腹状等に形成されて、撓むことができ、爪部１１ａを挿入することが容易である。
その後、巻き部材円筒保持部材１６を外して、ポンプ外周巻き部材１０の固定は終了する。
【００５７】
次に、図７〜図８に基づき、アッパーシェル固定部６とロアシェル固定部７を円弧状に形成し、円弧状の開口部にストッパ６ｃを設けた場合について説明する。
図７に示すように、ポンプ外周巻き部材１０を円筒状に丸めて、巻き部材円筒保持部材１６で開かないように固定する。そして、燃料タンク１のアッパーシェル部２ｂに形成されたポンプユニット取付口５からポンプ外周巻き部材１０を燃料タンク１内に入れる。その時、ロアシェル部３の内面は燃料ポンプユニット４が取付けられている。
【００５８】
次に、図８に示すように、図４〜図６に示した場合と同様に、ポンプ外周巻き部材１０を燃料ポンプユニット４の周りを囲んで、燃料タンク１のロアシェル部３に達するように入れるとともに、ロアシェル部３に設けられたロアシェル固定部７にポンプ外周巻き部材１０の巻き部材下部固定部１２を固定する。
【００５９】
その固定方法は、ロアシェル部３に設けられたロアシェル固定部７の先端に形成された断面円形の固定脚７ｂに、ポンプ外周巻き部材１０の巻き部材下部固定部１２の先端に断面形状が円筒状に形成された先端部１２ｂを挿入して固定する。ロアシェル固定部７の先端に形成された断面円形の固定脚７ｂの入口部には円形に張り出したストッパ７ｃが形成されており、巻き部材下部固定部１２の先端部１２ｂが外れることを防止している。
【００６０】
ロアシェル固定部７の固定脚７ｂの入口部は、巻き部材下部固定部１２の先端部１２ｂが多少ずれても、巻き部材下部固定部１２の先端部１２ｂが挿入できるように広く形成され、奥はロアシェル部３の膨張と収縮によるポンプ外周巻き部材１０の巻き部材下部固定部１２の変化に対しても移動可能なように曲線状に形成されている。
【００６１】
ロアシェル固定部７と同様に、アッパーシェル固定部６の固定脚６ｂの入口部は、巻き部材上部固定部１１の先端部１１ｂが多少ずれても、巻き部材上部固定部１１の先端部１１ｂが挿入できるように広く形成され、奥はアッパーシェル部２の膨張と収縮によるポンプ外周巻き部材１０の巻き部材上部固定部１１の変化に対しても移動可能なように曲線状に形成されている。
【００６２】
ロアシェル固定部７とアッパーシェル固定部６の取付けは、図４〜図６に示した場合と同様行われる。巻き部材円筒保持部材１６を緩めて、ポンプ外周巻き部材１０を徐々に広げるとともに、巻き部材円筒保持部材１６を外して、ポンプ外周巻き部材１０の固定は終了する。
【符号の説明】
【００６３】
１  燃料タンク
２  アッパーシェル部
３  ロアシェル部
６  アッパーシェル固定部
７  ロアシェル固定部
１０  ポンプ外周巻き部材
１１  巻き部材上部固定部
１２  巻き部材下部固定部
１４  巻き部材補強リブ
１５  巻き部材切欠き部
【図１】
2019127895.tif 000003
【図２】
2019127895.tif 000004
【図３】
2019127895.tif 000005
【図４】
2019127895.tif 000006
【図５】
2019127895.tif 000007
【図６】
2019127895.tif 000008
【図７】
2019127895.tif 000009
【図８】
2019127895.tif 000010
【図９】
2019127895.tif 000011
【図１０】
2019127895.tif 000012